(57)【要約】【課題】本発明は、主冷却装置と、補助冷却装置を用いた発熱体収納装置冷却システムにおいて、主冷却装置の冷却機能喪失時に冷却動作を確実にさせ得ることを目的とする。【解決手段】空気熱交換形空調機１のコントロール基板１７に発熱体収納装置１０１内外の温度を認識する温度判断手段２２を設け、主冷却装置としてのヒートポンプ式空調機１０３の入力電流ｉを空気熱交換形空調機１の電流監視手段２３で監視し、「主冷却装置電流低下状」態を判断し、温度判断手段２２により判断した空気熱交換形空調機１の「運転温度条件」、「停止運転条件」や「運転準備温度条件」とこの「主冷却装置電流低下状態」情報から運転指示手段２４が第１送風ファン３および第２送風ファン４の駆動／停止を行うことにより、主冷却装置の冷却機能喪失時に、空気熱交換形空調機１が発熱体収納装置１０１内の冷却を行うことができる。【選択図】図２
2016066735.tif 000002
【特許請求の範囲】
【請求項１】
発熱体が収納された発熱体収納装置の内部を冷却する主冷却装置と、補助冷却装置を備え、
前記主冷却装置に供給される電源線に電流検出器を挿入し、この電流検出器を前記補助冷却装置に接続し、前記補助冷却装置には、この補助冷却装置の運転／停止指示を行う運転指示手段と、発熱体収納装置内の室内温度を検出する室内温度検知手段と、発熱体収納装置外の外気温度を検出する外気温度検知手段と、前記電流検出器からの信号を前記主冷却装置の入力電流として検知監視し、この入力電流が予め設定した前記主冷却装置の運転する入力電流より低い電流閾値を下回った場合に、前記運転指示手段に対し、主冷却装置電流低下状態を送信する電流監視手段と、前記室内温度検知手段と前記外気温度検知手段による温度情報を入力し、前記運転指示手段に対し、前記補助冷却装置の運転温度条件、停止温度条件あるいは運転準備温度条件を送付する温度判断手段と、を備え、前記温度判断手段は、外気温度が室内温度より予め設定した閾値温度差分低い場合で、且つ、室内温度が予め設定した補助冷却装置運転閾値温度以上である場合に、前記運転温度条件と判断し、  外気温度が室内温度より予め設定した閾値温度差分高い場合、あるいは、室内温度が予め設定した補助冷却装置運転閾値温度より低い場合に、に前記停止温度条件と判断し、前記運転温度条件ではないが外気温度が室内温度より高くなった場合で、且つ、室内温度が予め設定した補助冷却装置の運転閾値温度以上である場合に、運転準備温度条件と判断し、前記運転指示手段では、前記温度判断手段からの前記運転温度条件、前記停止温度条件あるいは前記運転準備温度条件、および前記電流監視手段からの前記主冷却装置電流低下状態情報に基づき、前記補助冷却装置を動作させることを特徴とする発熱体収納装置用冷却システム。
【請求項２】
運転指示手段において、運転温度条件または運転準備温度条件の場合で、且つ、主冷却装置電流低下状態情報が電流監視手段から入力された場合において、送風手段を最大回転数にて駆動させることを特徴とする発熱体収納装置用冷却システム。
【請求項３】
電流検出器を分割コア式カレントトランスとしたことを特徴とする請求項１乃至２いずれかひとつに記載の発熱体収納装置用冷却システム。
【請求項４】
発熱体収納装置内に備えた蓄電装置に接続された直流電源を補助冷却装置の電源とすることを特徴とする請求項１〜３いずれかひとつに記載の発熱体収納装置用冷却システム。
【請求項５】
主冷却装置は、冷媒を用いたヒートポンプ式空調機とした請求項１〜４いずれかひとつに記載の発熱体収納装置用冷却システム。
【請求項６】
補助冷却装置は、発熱体収納装置の内外空気を遮蔽する熱交換器を備えた空気熱交換形空調機とした請求項１〜５いずれかひとつに記載の発熱体収納装置用冷却システム。
【発明の詳細な説明】
【技術分野】
【０００１】
本発明は、発熱体が収納された発熱体収納装置を冷却するために、主冷却装置と、補助冷却装置を用いた冷却システムにおいて、主冷却装置の冷却機能喪失時における補助冷却装置の動作を確実にさせ得るものである。
【背景技術】
【０００２】
従来、この種の発熱体収納装置用冷却システムとして、冷媒を用いたヒートポンプ式空調機を主冷却装置として、空気熱交換形空調機を補助冷却装置として、独立した空調機を用いて発熱体収納箱としての電話基地局を冷却するシステムがあり、図７に示したものなどが一般的であった。（先行文献として特許文献１を参照）。
【０００３】
以下、その発熱体収納装置用冷却システムについて  図８、図９および図１０を参照しながら説明する。
【０００４】
図８に示すように、発熱体収納装置１０１内には、熱負荷を発生する通信機１０２と、主冷却装置としてのヒートポンプ式空調機１０３の室内機１０３ａが設置され、この発熱体収納装置１０１外にコンプレッサーを備えたヒートポンプ式空調機１０３の室外機１０３ｂが設置されている。この室外機１０３ｂと室内機１０３ａは冷媒配管１０４で接続され、発熱体収納装置１０１内の室内温度ＴINを検知する主冷却室温センサー１０５と温度を判断する主冷却制御装置１０６が室内機１０３ａ内に備えられている。発熱体収納装置１０１の外壁に補助冷却装置としての空気熱交換形空調機１０７が備えられている。この空気熱交換形空調機１０７は、本体ケース１０８と、第１送風ファン１０９および第２送風ファン１１０と、熱交換器１１１を備えている。さらに、空気熱交換形空調機１０７は、補助冷却制御装置１１２と、補助冷却室温センサー１１３と補助冷却外気温センサー１１４を備えている。本体ケース１０８は、外気（第１環境）用の第１吸気口１１５と第１吐出口１１６および発熱体収納装置１０１内（第２環境）用の第２吸気口１１７と第２吐出口１１８を有する。第１送風ファン１０９は、外気（第１環境）用で、第２送風ファン１１０は、発熱体収納装置１０１内（第２環境）用ので、共に本体ケース１０８内に設けられたものである。熱交換器１１１は、本体ケース１０８内において外気（第１環境）の空気と発熱体収納装置１０１内（第２環境）の空気を直接入り交じること無く熱交換を行うものである。補助冷却制御装置１１２は、第１送風ファン１０９と第２送風ファン１１０を制御する。補助冷却室温センサー１１３は、発熱体収納装置１０１内の室内温度ＴINを計測するべく第２吸気口１１７内に設けられている。補助冷却外気温センサー１１４は、発熱体収納装置１０１外の外気温度ＴOUTを計測するべく第１吸気口１１５内に設けられている。室内温度ＴINと外気温度ＴOUTを熱交換する空気熱交換形空調機１０７は、室内温度ＴINが外気温度ＴOUTより高く空気熱交換性能が発揮される室内温度ＴINと外気温度ＴOUTとの温度差がないと冷却性能が発揮されない。そのため、空気熱交換形空調機１０７は、予め設定された室内温度ＴINと外気温度ＴOUTとの温度差ΔＴを越えると運転するようになっている。これにより、発熱体収納装置１０１を室内温度ＴX1からＴX2の間で冷却する際には、図９の温度領域における運転分布図に示すように、ドット部で示すヒートポンプ式空調機１０３のみが運転する温度領域とヒートポンプ式空調機１０３および空気熱交換形空調機１０７の両方が運転する温度領域が存在することになる。
【０００５】
上記構成において、通信機１０２の発熱に応じ、ヒートポンプ式空調機１０３および空気熱交換形空調機１０７による発熱体収納装置１０１内を冷却した際の室内温度ＴINの時間経過の様子を図１０（ａ）に示す。通信機１０２が動作すると、その発熱のため、発熱体収納装置１０１内の室内温度ＴINは徐々に上昇する。時刻ｔａが経過して室内温度ＴX1に達すると、主冷却制御装置１０６が室内温度ＴINをＴX1と判断する。そして、ヒートポンプ式空調機１０３が運転を開始し、室内温度ＴX2を越えないように発熱体収納装置１０１を冷却する。一方、空気熱交換形空調機１０７では、室内温度ＴINと外気温度ＴOUTとの温度差がΔＴを越え、且つ、室内温度ＴINをＴX1と補助冷却制御装置１１２が判断した場合には、第１送風ファン１０９および第２送風ファン１１０を駆動し、発熱体収納装置１０１を冷却する。しかし、室内温度ＴINと外気温度ＴOUTとの温度差がΔＴを越えていないと補助冷却制御装置１１２が判断した場合には、第１送風ファン１０９および第２送風ファン１１０を停止させる。これにより、発熱体収納装置１０１内の冷却は、前記ヒートポンプ式空調機１０３のみで行うこととなる。
【０００６】
ここで、ヒートポンプ式空調機１０３が故障して運転ができなくなると、発熱体収納装置１０１内を冷却する冷却能力が落ちる。例えば、図１０（ｂ）に示す通り、経過時刻ｔｂにてヒートポンプ式空調機１０３が故障したとすると、点線Ｘのような室内温度ＴINの温度変化ができなくなり、一点鎖線Ｙに示したように室内温度ＴINが急速に上昇することになる。この時、既に室内温度ＴINと外気温度ＴOUTとの温度差がΔＴを越えている場合は、経過時刻ｔｂの時点で空気熱交換形空調機１０７が運転しているため、実線Ａに示す通り室内温度ＴINは緩やかな温度変化となる。しかし、室内温度ＴINと外気温度ＴOUTとの温度差がΔＴを越えていない場合は、経過時刻ｔｂの時点で空気熱交換形空調機１０７が運転していない。このため、室内温度ＴINの急速な上昇によって室内温度ＴINと外気温度ＴOUTとの温度差がΔＴを越えるまで、空気熱交換形空調機１０７は運転せずに待つこととなる。従って、それだけ室内温度ＴINがより高温となってから空気熱交換形空調機１０７が運転し、発熱体収納装置１０１の内部が冷却されることとなり、実線Ｂに示すように室内温度ＴINはかなり高温となってしまっていた。
【先行技術文献】
【特許文献】
【０００７】
【特許文献１】特開平１１−１３５９７２号公報
【発明の概要】
【発明が解決しようとする課題】
【０００８】
このような従来の発熱体収納装置用冷却システムにおいては、主冷却装置自身の故障や主冷却装置の電源の停電時により発熱体収納装置の室内温度が急速に上昇し、通信機などの発熱体装置を停止させてしまう。あるいは、最悪の場合は、発熱体装置の故障などの２次障害を招くことがある。そのため、主冷却装置の異常により冷却機能喪失が生じても、少しでも長く、できれば主冷却装置の故障メンテを行うまでに冗長的に補助冷却装置が発熱体収納装置の冷却を行うことが求められている。
【０００９】
このような発熱体収納装置用冷却システムにおいて、補助冷却装置は防塵性や防湿性に優れた冷却装置であって、主冷却装置の冷却機能喪失時に、補助冷却装置が発熱体収納装置の冗長的な冷却動作を行うことができ、低コストで低施工性な発熱体収納装置用冷却システムを提供することを目的とするものである。
【課題を解決するための手段】
【００１０】
そして、この目的を達成するめに本発明は、発熱体が収納された発熱体収納装置の内部を冷却する主冷却装置と、補助冷却装置を備え、前記主冷却装置に供給される電源線に電流検出器を挿入し、この電流検出器を前記補助冷却装置に接続し、前記補助冷却装置には、この補助冷却装置の運転／停止指示を行う運転指示手段と、発熱体収納装置内の室内温度を検出する室内温度検知手段と、発熱体収納装置外の外気温度を検出する外気温度検知手段と、前記電流検出器からの信号を前記主冷却装置の入力電流として検知監視し、この入力電流が予め設定した前記主冷却装置の運転する入力電流より低い電流閾値を下回った場合に、前記運転指示手段に対し、主冷却装置電流低下状態を送信する電流監視手段と、前記室内温度検知手段と前記外気温度検知手段による温度情報を入力し、前記運転指示手段に対し、前記補助冷却装置の運転温度条件、停止温度条件あるいは運転準備温度条件を送付する温度判断手段と、を備え、前記温度判断手段は、外気温度が室内温度より予め設定した閾値温度差分低い場合で、且つ、室内温度が予め設定した補助冷却装置運転閾値温度以上である場合に、前記運転温度条件と判断し、外気温度が室内温度より予め設定した閾値温度差分高い場合、あるいは、室内温度が予め設定した補助冷却装置運転閾値温度より低い場合に、に前記停止温度条件と判断し、前記運転温度条件ではないが外気温度が室内温度より高くなった場合で、且つ、室内温度が予め設定した補助冷却装置の運転閾値温度以上である場合に、運転準備温度条件と判断し、前記運転指示手段では、前記温度判断手段からの前記運転温度条件、前記停止温度条件あるいは前記運転準備温度条件、および前記電流監視手段からの前記主冷却装置電流低下状態情報に基づき、前記補助冷却装置を動作させることを特徴としたものであり、これにより所期の目的を達成するものである。
【発明の効果】
【００１１】
本発明によれば、発熱体が収納された発熱体収納装置の内部を冷却する主冷却装置と、補助冷却装置を備え、前記主冷却装置に供給される電源線に電流検出器を挿入し、この電流検出器を前記補助冷却装置に接続し、前記補助冷却装置には、  この補助冷却装置の運転／停止指示を行う運転指示手段と、発熱体収納装置内の室内温度を検出する室内温度検知手段と、発熱体収納装置外の外気温度を検出する外気温度検知手段と、前記電流検出器からの信号を前記主冷却装置の入力電流として検知監視し、この入力電流が予め設定した前記主冷却装置の運転する入力電流より低い電流閾値を下回った場合に、前記運転指示手段に対し、主冷却装置電流低下状態を送信する電流監視手段と、前記室内温度検知手段と前記外気温度検知手段による温度情報を入力し、前記運転指示手段に対し、前記補助冷却装置の運転温度条件、停止温度条件あるいは運転準備温度条件を送付する温度判断手段と、を備え、前記温度判断手段は、外気温度が室内温度より予め設定した閾値温度差分低い場合で、且つ、室内温度が予め設定した補助冷却装置運転閾値温度以上である場合に、前記運転温度条件と判断し、外気温度が室内温度より予め設定した閾値温度差分高い場合、あるいは、室内温度が予め設定した補助冷却装置運転閾値温度より低い場合に、に前記停止温度条件と判断し、前記運転温度条件ではないが外気温度が室内温度より高くなった場合で、且つ、室内温度が予め設定した補助冷却装置の運転閾値温度以上である場合に、運転準備温度条件と判断し、前記運転指示手段では、前記温度判断手段からの前記運転温度条件、前記停止温度条件あるいは前記運転準備温度条件、および前記電流監視手段からの前記主冷却装置電流低下状態情報に基づき、前記補助冷却装置を動作させるという構成にしたことにより、主冷却装置の入力電流を補助冷却装置で検知監視し、発熱体収納箱内外の温度を認識することとなるので、主冷却装置の冷却機能喪失時にも補助冷却装置自身の判断で発熱体収納装置内の冷却を直ちに行うことができるという効果を得ることができる。
【図面の簡単な説明】
【００１２】
【図１】本発明の実施の形態１の発熱体収納装置冷却システムの構成を示す図
【図２】同実施の形態１の制御装置の構成を示すブロック図
【図３】同実施の形態１の時間経過における室内温度変化の一例を表すグラフ
【図４】本発明の実施の形態１の発熱体収納装置冷却システムの別の構成を示す図
【図５】本発明の実施の形態１の発熱体収納装置冷却システムの別の構成を示す図
【図６】本発明の実施の形態２の制御装置の構成を示すブロック図
【図７】同実施の形態２の時間経過における室内温度変化の一例を表すグラフ
【図８】従来の発熱体収納装置冷却システムの構成を示す図
【図９】発熱体収納装置冷却システムの温度領域における運転分布図
【図１０】同従来例の時間経過における室内温度変化の一例を表すグラフ
【発明を実施するための形態】
【００１３】
本発明の請求項１記載の発熱体収納装置用冷却システムは、発熱体が収納された発熱体収納装置の内部を冷却する主冷却装置と、補助冷却装置を備え、前記主冷却装置に供給される電源線に電流検出器を挿入し、この電流検出器を前記補助冷却装置に接続し、前記補助冷却装置には、  この補助冷却装置の運転／停止指示を行う運転指示手段と、発熱体収納装置内の室内温度を検出する室内温度検知手段と、発熱体収納装置外の外気温度を検出する外気温度検知手段と、前記電流検出器からの信号を前記主冷却装置の入力電流として検知監視し、この入力電流が予め設定した前記主冷却装置の運転する入力電流より低い電流閾値を下回った場合に、前記運転指示手段に対し、主冷却装置電流低下状態を送信する電流監視手段と、前記室内温度検知手段と前記外気温度検知手段による温度情報を入力し、前記運転指示手段に対し、前記補助冷却装置の運転温度条件、停止温度条件あるいは運転準備温度条件を送付する温度判断手段と、を備え、前記温度判断手段は、  外気温度が室内温度より予め設定した閾値温度差分低い場合で、且つ、室内温度が予め設定した補助冷却装置運転閾値温度以上である場合に、前記運転温度条件と判断し、外気温度が室内温度より予め設定した閾値温度差分高い場合、あるいは、室内温度が予め設定した補助冷却装置運転閾値温度より低い場合に、に前記停止温度条件と判断し、前記運転温度条件ではないが外気温度が室内温度より高くなった場合で、且つ、室内温度が予め設定した補助冷却装置の運転閾値温度以上である場合に、運転準備温度条件と判断し、前記運転指示手段では、前記温度判断手段からの前記運転温度条件、前記停止温度条件あるいは前記運転準備温度条件、および前記電流監視手段からの前記主冷却装置電流低下状態情報に基づき、前記補助冷却装置を動作させるという構成を有する。これにより、主冷却装置の入力電流を補助冷却装置で検知監視し、発熱体収納箱内外の温度を認識することとなるので、主冷却装置の冷却機能喪失時にも補助冷却装置自身の判断で発熱体収納装置内の冷却を直ちに行うことができるという効果を奏する。
【００１４】
また、運転指示手段において、運転温度条件または運転準備温度条件の場合で、且つ、主冷却装置電流低下状態情報が電流監視手段から入力された場合において、送風手段を最大回転数にて駆動させることを特徴としたという構成にしてもよい。これにより、主冷却装置の冷却機能喪失時にも補助冷却装置自身の判断で発熱体収納装置内の冷却を補助冷却装置の最大冷却性能で直ちに行うことができるという効果を奏する。
【００１５】
また、電流検出器を分割コア式カレントトランスとしたという構成にしてもよい。これにより、主冷却装置の電源線の配線が既に終わっていても後から電源線に電流検出器としての分割コア式カレントトランスを挿入することが容易に施工できるという効果を奏する。
【００１６】
また、発熱体収納装置内に備えた蓄電装置に接続された直流電源を補助冷却装置の電源とするという構成にしてもよい。これにより、主冷却装置の電源が停電したことによる冷却機能喪失時にも補助冷却装置自身の判断で発熱体収納装置の冷却を直ちに行うことができるという効果を奏する。
【００１７】
また、主冷却装置は、冷媒を用いたヒートポンプ式空調機としたという構成にしてもよい。これにより、強力な冷却性能を有する空調機を利用することにより主冷却装置として発熱体収納装置内を効率良く冷却することができるという効果を奏する。
【００１８】
また、補助冷却装置は、発熱体収納装置の内外空気を遮蔽する熱交換器を備えた空気熱交換形空調機としたという構成にしてもよい。これにより、空気熱交換形空調機に備えた熱交換器により発熱体収納装置の内外空気を遮蔽することで防塵、防湿性能を発揮するという効果を奏する。
【００１９】
以下、本発明の実施の形態について図面を参照しながら説明する。
【００２０】
（実施の形態１）
図１および図２に示すように、発熱体収納装置１０１内には、通信機１０２と、空気熱交換形空調機１が備えられている。通信機１０２は、自身の運転により熱負荷を発生する発熱体である。空気熱交換形空調機１は、補助冷却装置として発熱体収納装置１０１の外壁に備えられている。この空気熱交換形空調機１は、本体ケース２と、この本体ケース２内に第１送風ファン３、第２送風ファン４および熱交換器５を備えている。本体ケース２は、外気（第１環境）用の第１吸気口６と第１吐出口７および発熱体収納装置１０１内（第２環境）用の第２吸気口８と第２吐出口９を有している。第１送風ファン３は、外気（第１環境）用であり、第２送風ファン４は、発熱体収納装置１０１内（第２環境）用である。熱交換器５は、本体ケース２内において外気（第１環境）の空気と発熱体収納装置１０１内（第２環境）の空気を直接入り交じること無く熱交換を行う。また、空気熱交換形空調機１は、第１送風ファン３と第２送風ファン４を制御する補助冷却制御装置１０を備えている。そして、補助冷却室温センサー１１と補助冷却外気温センサー１２がそれぞれ補助冷却制御装置１０に接続される。補助冷却室温センサー１１は、発熱体収納装置１０１内の室内温度ＴINを計測するべく第２吸気口８内に設けられる。補助冷却外気温センサー１２は、発熱体収納装置１０１外の外気温度ＴOUTを計測するべく第１吸気口６内に設けられる。
【００２１】
発熱体収納装置１０１内には、主冷却装置としてのヒートポンプ式空調機１０３の室内機１０３ａが設置される。発熱体収納装置１０１外には、コンプレッサーを備えたヒートポンプ式空調機１０３の室外機１０３ｂが設置されている。室外機１０３ｂと室内機１０３ａは冷媒配管１０４で接続されている。主冷却室温センサー１０５は、発熱体収納装置１０１内の室内温度ＴINを検知する。室内温度ＴINを判断する主冷却制御装置１０６が室内機１０３ａ内に備えられている。主冷却室温センサー１０５は、主冷却制御装置１０６に接続されている。室外機１０３ｂには、発熱体収納装置１０１より交流電源１３が電源として供給され、その電源線１４の一つに電流検出器としての分割コア式カレントトランス１５が挿入されている。この分割コア式カレントトランス１５と補助冷却制御装置１０が電流信号線１６で接続されている。ここで、発熱体収納装置１０１内の室内温度ＴINは、下限温度Ｔ１から上限温度Ｔ２の間で保温することと設計されている。そこで、室内温度ＴINが下限温度Ｔ１以上となった場合に、主冷却制御装置１０６には室内機１０３ａおよび室外機１０３ｂを直ちに運転させるための主冷却装置運転閾値温度Ｔ１ａが下限温度Ｔ１と同じ値で予め設定されている。
【００２２】
また、図２に示すように、補助冷却制御装置１０内には、コントロール基板１７と第１送風ファン３・第２送風ファン４を駆動制御する第１インバーター１８および第２インバーター１９が備えられている。そして、補助冷却室温センサー１１および補助冷却外気温センサー１２は、コントロール基板１７に備えた室内温度検知手段２０および外気温度検知手段２１に接続されている。コントロール基板１７には、室内温度検知手段２０と外気温度検知手段２１が接続された温度判断手段２２が備えられている。また、コントロール基板１７には、分割コア式カレントトランス１５からの電流信号を入力し、ヒートポンプ式空調機１０３の入力電流ｉとして検知監視する電流監視手段２３が備えられている。また、コントロール基板１７には、温度判断手段２２および電流監視手段２３からの信号を入力し、第１インバーター１８および第２インバーター１９に運転指示を行う運転指示手段２４が備えられている。
【００２３】
ここで、温度判断手段２２には、閾値温度差ΔＴｏおよび補助冷却装置運転閾値温度Ｔ１ｂが予め設定されている。閾値温度差ΔＴｏは、室内温度ＴINと外気温度ＴOUTとの温度差で、空気熱交換形空調機１を駆動する判断に用いる。また、補助冷却装置運転閾値温度Ｔ１ｂは、発熱体収納装置１０１内の室内温度ＴINを下限温度Ｔ１から上限温度Ｔ２の間で保温するための下限温度Ｔ１と同じ値とし、空気熱交換形空調機１を駆動する判断に用いる。電流監視手段２３には、ヒートポンプ式空調機１０３の運転する入力電流ｉより低い電流閾値Ｉ１が予め設定されている。
【００２４】
温度判断手段２２では、室内温度ＴINが外気温度ＴOUTより閾値温度差ΔＴｏ以上の場合、且つ、室内温度ＴINが補助冷却装置運転閾値温度Ｔ１ｂ以上である場合に、空気熱交換形空調機１の「運転温度条件」と判断する。また、室内温度ＴINが外気温度ＴOUTより低い場合、あるいは、室内温度ＴINが補助冷却装置運転閾値温度Ｔ１ｂより低い場合には、空気熱交換形空調機１の「停止温度条件」と判断する。また、閾値温度差ΔＴｏより下回るが室内温度ＴINが外気温度ＴOUTより高い場合、つまりΔＴｏ≧ＴIN−ＴOUT≧０のときであって、且つ、室内温度ＴINが補助冷却装置運転閾値温度Ｔ１ｂ以上である場合に、「運転準備温度条件」と判断する。
【００２５】
電流監視手段２３では、ヒートポンプ式空調機１０３の入力電流ｉが所定の電流閾値Ｉ１より低い場合には、「主冷却装置電流低下」と判断し、運転指示手段２４に伝達している。
【００２６】
運転指示手段２４では、温度判断手段２２からの「運転温度条件」および「運転準備温度条件」情報と、電流監視手段２３からの「主冷却装置電流低下」情報が入力された場合に、「主冷却装置機能喪失状態」と判断する。ここで、「主冷却装置冷却機能喪失状態」とは、ヒートポンプ式空調機１０３が下限温度Ｔ１以上となり冷却動作し通常流れるべき入力電流ｉに対し、実際の入力電流ｉが電流閾値Ｉ１を下回ったことから推定し得る主冷却装置の冷却機能喪失状態のことである。（以下記述においても同様である。）。
【００２７】
なお、通信機１０２の発熱量、発熱体収納装置１０１への日射量、および外気温度ＴOUTの最高温度などを勘案して、室内温度ＴINが上限温度Ｔ２以内に納まるようにヒートポンプ式空調機１０３の冷却性能は予め設計されており、本記述では詳細は記載しない。
【００２８】
このような構成により、発熱する通信機１０２を運転すると、発熱体収納装置１０１内の室内温度ＴINが上昇する。この室内温度ＴINは、ヒートポンプ式空調機１０３および空気熱交換形空調機１により発熱体収納装置１０１内を冷却されて変化する。この変化の様子を図３（ａ）に示し、図３（ｂ）には、ヒートポンプ式空調機１０３の入力電流ｉの変化を模して表している。ここで、室内温度ＴINの下限温度Ｔ１（例えば２５℃）と室内温度ＴINの上限温度Ｔ２（例えば３５℃）は、発熱体収納装置１０１内の保温すべき室内温度ＴINの範囲を示している。また、時刻ｔｂでヒートポンプ式空調機１０３が故障したことを表している。
【００２９】
以下、図３（ａ）、図３（ｂ）を用いて本実施の形態における最も特徴的な部分を説明する。
【００３０】
図３に示すように、時刻０で、通信機１０２を運転させると、その発熱のため、発熱体収納装置１０１内の室内温度ＴINは徐々に上昇してくる。時刻ｔａに到達した時点で、主冷却室温センサー１０５を通じて主冷却制御装置１０６では、室内温度ＴINが主冷却制御装置運転閾値温度Ｔ１ａ（例えば２５℃）以上と判断する。このとき、主冷却制御装置１０６ではヒートポンプ式空調機１０３を運転すべき状態と判断し、室内機１０３ａおよび室外機１０３ｂを運転させて、発熱体収納装置１０１内を冷却する。
【００３１】
一方、空気熱交換形空調機１では、時刻ｔａにおいて、室内温度検知手段２０は、補助冷却室温センサー１１の信号により、室内温度ＴINを検出し、温度判断手段２２に入力する。また、外気温度検知手段２１は、補助冷却外気温センサー１２の信号により外気温度ＴOUTを検出し、温度判断手段２２に入力する。そして温度判断手段２２では、室内温度検知手段２０と外気温度検知手段２１による室内温度ＴINと外気温度ＴOUTにもとづき、運転条件を判断する。すなわち、温度判断手段２２では、室内温度ＴINが補助冷却装置運転閾値温度Ｔ１ｂ（例えば２５℃）以上となったので、室内温度ＴINと外気温度ＴOUTとの温度差が閾値温度差ΔＴｏ（例えば、５℃）を越えている場合には、空気熱交換形空調機１の「運転温度条件」と判断する。そして、温度判断手段２２は運転指示手段２４に「運転温度条件」情報を送信する。運転指示手段２４は、「運転温度条件」情報に基づき、第１インバーター１８および第２インバーター１９に運転指示を行う。そして、第１送風ファン３および第２送風ファン４が回転し、熱交換器５の伝熱作用により発熱体収納装置１０１内を外気側と室内側を遮蔽した状態で冷却する。すなわち、ヒートポンプ式空調機１０３および空気熱交換形空調機１で発熱体収納装置１０１内を冷却していることとなる。
【００３２】
また、温度判断手段２２で室内温度ＴINと外気温度ＴOUTとの温度差が閾値温度差ΔＴｏを越えていない「停止温度条件」と判断した場合には、運転指示手段２４は、第１インバーター１８および第２インバーター１９に停止指示を行う。そして、第１送風ファン３および第２送風ファン４は停止し、熱交換器５の伝熱作用は機能せず、発熱体収納装置１０１内はヒートポンプ式空調機１０３のみで冷却していることとなる。
【００３３】
ところが、時刻ｔｂに達して、ヒートポンプ式空調機１０３に故障が生じると発熱体収納装置１０１内を冷却する能力が落ちるので、空気熱交換形空調機１の冷却運転がなければ、室内温度ＴINは一点鎖線Ｙに示すように急速に上昇する。このとき、ヒートポンプ式空調機１０３の入力電流ｉはほとんど流れない状態となり、電流閾値Ｉ１を下回る。空気熱交換形空調機１の電流監視手段２３は、分割コア式カレントトランス１５にて検出した入力電流ｉの電流信号が予め設定された電流閾値Ｉ１を下回り、「主冷却装置電流低下」と直ちに判断する。そして、電流監視手段２３は、運転指示手段２４に直ちに「主冷却装置電流低下」情報を伝達する。
【００３４】
このとき、運転指示手段２４では、温度判断手段２２から「運転温度条件」（ＴIN−ＴOUT≧ΔＴｏ、且つ、ＴIN≧Ｔ１ｂ（＝Ｔ１＝Ｔ１ａ））の情報が伝達されていれば、「主冷却装置冷却機能喪失状態」と直ちに判断する。そして、運転指示手段２４は、第１インバーター１８および第２インバーター１９に最大運転の指示を行い、第１送風ファン３および第２送風ファン４が最大回転数で回転する。これにより実線Ａで示すところの空気熱交換形空調機１による冷却運転が行われる。
【００３５】
また、運転指示手段２４に対し、温度判断手段２２から「運転準備温度条件」（ΔＴｏ≧ＴIN−ＴOUT≧０、且つ、ＴIN≧Ｔ１ｂ（＝Ｔ１＝Ｔ１ａ））の情報が伝達されていても、運転指示手段２４は「主冷却装置冷却機能喪失状態」と直ちに判断する。そして、運転指示手段２４は、直ちに、第１インバーター１８および第２インバーター１９に最大運転の指示を行い、第１送風ファン３および第２送風ファン４が最大回転数で回転する。ほどなくして室内温度ＴINの急速な温度上昇によりＴIN−ＴOUT≧ΔＴｏとなり、空気熱交換形空調機１の冷却機能を発揮し、直ぐに冷却動作となる。これにより実線Ｃで示すところの空気熱交換形空調機１による冷却運転が行われる。この実線Ｃで示す室内温度ＴINの変化は、破線Ｂの場合（ＴIN−ＴOUT≧ΔＴｏになるのを待って第１送風ファン３および第２送風ファン４を駆動させることによる室内温度ＴINの変化）に比べると冷却効果が早い。
【００３６】
さらに、運転指示手段２４に対し、温度判断手段２２から「停止条件」（ＴIN−ＴOUT≧０、または、ＴIN≦Ｔ１ｂ（＝Ｔ１＝Ｔ１ａ））の情報が伝達されていた場合でも、室内温度ＴINの急速な上昇により、ほどなくしてΔＴｏ≧ＴIN−ＴOUT≧０の「運転準備温度条件」となり得る。これにより、温度判断手段２２が「運転準備温度条件」と判断し、上述の通り、運転指示手段２４が「主冷却装置冷却機能喪失状態」と直ちに判断し、第１インバーター１８および第２インバーター１９に最大運転の指示を行う。そして、第１送風ファン３および第２送風ファン４が最大回転数で回転し、ほどなくして室内温度ＴINの急速な温度上昇によりＴIN−ＴOUT≧ΔＴｏとなり、空気熱交換形空調機１の冷却機能を発揮し、直ぐに冷却動作となる。これにより実線Ｄで示すところの空気熱交換形空調機１による冷却運転が行われる。従って、この実線Ｄで示す室内温度ＴINの変化は、破線Ｂの場合（ＴIN−ＴOUT≧ΔＴｏになるのを待って第１送風ファン３および第２送風ファン４を駆動させることによる室内温度ＴINの変化）に比べると冷却効果が早い。
【００３７】
このようにして、ヒートポンプ式空調機１０３が故障した場合にも、空気熱交換形空調機１のみによる冷却によって、一点鎖線Ｙで示すような室内温度ＴINの急速な上昇となるところを防ぐ。そして、実線Ａ，Ｃ，Ｄで示す室内温度ＴINの緩やかな上昇となり、通信機１０２の発熱量が少ない場合は、あわよくば室内温度ＴINは、下限温度Ｔ１から上限温度Ｔ２の間で保温するような動作も行い得る。
【００３８】
以上のように、電流検出器を主冷却装置の電源線に挿入し、補助冷却装置で主冷却装置の入力電流を監視し、且つ、補助冷却装置の温度判断条件に運転準備温度条件を設けたことにより、簡単な施工で、主冷却装置の故障を察知し、補助冷却装置を早めに冷却準備させることができる。そして、空気熱交換形空調機１に備えた熱交換器５により発熱体収納装置１０１の内外空気を遮蔽することで防塵、防湿性能の優れた効果を発揮する。さらに、主冷却装置の故障時に発熱体収納装置１０１の冷却性能を維持するために空気熱交換形空調機１の判断により、補助冷却装置としての空気熱交換形空調機１が発熱体収納装置１０１内の冗長的な冷却動作を行う。従って、低コストで低施工性な発熱体収納装置用冷却システムを提供することができる。
【００３９】
なお、補助冷却装置を空気式熱交換式空調機で説明しているが、防塵性能および防湿性能の優れたフィルターを用いた外気導入式冷却装置や自然循環型冷媒式熱交換形空調機を用いても作用効果に差はなく、以下の実施の形態でも同じである。
【００４０】
また、電流検出器を分割コア式カレントトランス１５として説明したが、シャント抵抗器や非分割コア式カレントトランスを適用してもよく、作用効果に差はなく、以下の実施の形態でも同じである。
【００４１】
また、主冷却装置運転閾値温度Ｔ１ａおよび補助冷却装置運転閾値温度Ｔ１ｂを空気熱交換形空調機１およびヒートポンプ式空調機１０３で同時刻に同じ値として読み取ったように説明したが、実際の設置場所の差や計測誤差による温度差が起きてもよく、作用効果に差はなく、以下の実施の形態でも同じである。
【００４２】
また、主冷却装置運転閾値温度Ｔ１ａおよび補助冷却装置運転閾値温度Ｔ１ｂを室内温度ＴINを保温する下限温度Ｔ１と同じ値の設定として説明したが、実際の設置場所の差や計測誤差による温度差を加味して少し差を設けた設定としてもよく、作用効果に差はなく、以下の実施の形態でも同じである。
【００４３】
また、図４に示すように主冷却装置が補助冷却装置を信号線２５によって運転／停止指令を行っている場合においても、信号線２５の断線により補助冷却装置が自立運転を行う構成でもよく、作用効果に差はなく、以下の実施の形態でも同じである。
【００４４】
また、図５では、通信機１０２に設けた空調機制御装置２６による主冷却装置および補助冷却装置を主冷却信号線２７および補助冷却信号線２８によって運転／停止指令を行っている場合を示している。発熱体収納装置室温センサー２９と発熱体収納装置外気温センサー３０がそれぞれ空調機制御装置２６に接続される。空調機制御装置２６内で、室内温度ＴINと外気温度ＴOUTとを計測し、主冷却装置および補助冷却装置の運転／停止指令を判断している。図５のように、主冷却信号線２７または補助冷却信号線２８の断線により補助冷却装置が自立運転を行うようにしてもよく、作用効果に差はなく、以下の実施の形態でも同じである。
【００４５】
（実施の形態２）
さて、本実施の形態では、図６に示すとおり、実施の形態１において、補助冷却装置としての空気熱交換形空調機１の電源を、通信機１０２の電源となっている発熱体収納装置１０１内に備えた蓄電装置（図示せず）に接続された直流電源３１としたものである。なお、実施の形態１と同一構成部分については、同一符号を用いてその詳細な説明は省略する。
【００４６】
これにより、発熱する通信機１０２を運転することで、発熱体収納装置１０１内の室内温度ＴINが上昇する。主冷却装置であるヒートポンプ式空調機１０３および補助冷却装置である空気熱交換形空調機１の運転により、発熱体収納装置１０１内が冷却されて、室内温度ＴINは、変化する。このとき室内温度ＴINの変化する様を図７（ａ）に示し、図７（ｂ）には、ヒートポンプ式空調機１０３の入力電流ｉの変化を模して表している。ここで、室内温度ＴINの下限温度Ｔ１（例えば２５℃）と室内温度ＴINの上限温度Ｔ２（例えば３５℃）は、発熱体収納装置１０１内の保温すべき室内温度範囲を示している。また、時刻ｔｓでヒートポンプ式空調機１０３への電源が停電したことを表している。
【００４７】
以下、図７（ａ）、図７（ｂ）を用いて本実施の形態における最も特徴的な部分を説明する。
【００４８】
図７に示すように、時刻０で、通信機１０２を運転させると、その発熱のため、発熱体収納装置１０１内の室内温度ＴINは徐々に上昇してくる。時刻ｔａに到達した時点で、主冷却室温センサー１０５を通じて主冷却制御装置１０６では、室内温度ＴINが主冷却装置運転閾値温度Ｔ１ａ（例えば２５℃）以上と判断する。このときに、主冷却制御装置１０６ではヒートポンプ式空調機１０３を運転すべき状態と判断し室内機１０３ａおよび室外機１０３ｂを運転させて、発熱体収納装置１０１内を冷却する。
【００４９】
一方、空気熱交換形空調機１では、時刻ｔａにおいて、室内温度検知手段２０は、補助冷却室温センサー１１の信号により、室内温度ＴINを検出し、温度判断手段２２に入力する。また、外気温度検知手段２１は、補助冷却外気温センサー１２の信号により外気温度ＴOUTを検出し、温度判断手段２２に入力する。そして温度判断手段２２では、室内温度検知手段２０と外気温度検知手段２１による室内温度ＴINと外気温度ＴOUTにもとづき、運転条件を判断する。すなわち、温度判断手段２２では、室内温度ＴINが補助冷却装置運転閾値温度Ｔ１ｂ（例えば２５℃）以上となったので、室内温度ＴINと外気温度ＴOUTとの温度差が閾値温度差ΔＴｏ（例えば、５℃）を越えている場合には、空気熱交換形空調機１の「運転温度条件」と判断する。そして、温度判断手段２２は運転指示手段２４に「運転温度条件」情報を送信する。運転指示手段２４は、「運転温度条件」情報に基づき、第１インバーター１８および第２インバーター１９に運転指示を行う。そして、第１送風ファン３および第２送風ファン４が回転し、熱交換器５の伝熱作用により発熱体収納装置１０１内を外気側と室内側を遮蔽した状態で冷却する。すなわち、ヒートポンプ式空調機１０３および空気熱交換形空調機１で発熱体収納装置１０１内を冷却していることとなる。
【００５０】
また、温度判断手段２２で室内温度ＴINと外気温度ＴOUTとの温度差が閾値温度差ΔＴｏを越えていない「停止温度条件」と判断した場合には、運転指示手段２４は、第１インバーター１８および第２インバーター１９に停止指示を行う。そして、第１送風ファン３および第２送風ファン４は停止し、熱交換器５の伝熱作用は機能せず、発熱体収納装置１０１内はヒートポンプ式空調機１０３のみで冷却していることとなる。
【００５１】
ところが、時刻ｔｓに達して、ヒートポンプ式空調機１０３の交流電源１３が停電すると発熱体収納装置１０１内を冷却する能力が落ちるので、空気熱交換形空調機１の冷却運転がなければ、室内温度ＴINは一点鎖線Ｙに示すように急速に上昇する。このとき、ヒートポンプ式空調機１０３の入力電流ｉは０Ａとなり、電流閾値Ｉ１を下回る。このとき、空気熱交換形空調機１の電源は、発熱体収納装置１０１内に備えた蓄電装置に接続された直流電源３１であるため、交流電源１３が停電しても以下の通り、動作を継続している。また、通信機１０２も直流電源３１に接続されているため、運転を継続している。空気熱交換形空調機１の電流監視手段２３は、分割コア式カレントトランス１５にて検出した入力電流ｉの電流信号が予め設定された電流閾値Ｉ１を下回り、「主冷却装置電流低下」と直ちに判断する。そして、電流監視手段２３は、運転指示手段２４に直ちに「主冷却装置電流低下」情報を伝達する。
【００５２】
このとき、運転指示手段２４では、温度判断手段２２から「運転温度条件」（ＴIN−ＴOUT≧ΔＴｏ、且つ、ＴIN≧Ｔ１ｂ（＝Ｔ１＝Ｔ１ａ））の情報が伝達されていれば、「主冷却装置冷却機能喪失状態」と直ちに判断する。そして、運転指示手段２４は、第１インバーター１８および第２インバーター１９に最大運転の指示を行い、第１送風ファン３および第２送風ファン４が最大回転数で回転する。これにより実線Ａで示すところの空気熱交換形空調機１による冷却運転が行われる。
【００５３】
また、運転指示手段２４に対し、温度判断手段２２から「運転準備温度条件」（ΔＴｏ≧ＴIN−ＴOUT≧０、且つ、ＴIN≧Ｔ１ｂ（＝Ｔ１＝Ｔ１ａ））の情報が伝達されていても、運転指示手段２４は「主冷却装置冷却機能喪失状態」と直ちに判断する。そして、運転指示手段２４は、直ちに、第１インバーター１８および第２インバーター１９に最大運転の指示を行い、第１送風ファン３および第２送風ファン４が最大回転数で回転する。ほどなくして室内温度ＴINの急速な温度上昇によりＴIN−ＴOUT≧ΔＴｏとなり、空気熱交換形空調機１の冷却機能を発揮し、直ぐに冷却動作となる。これにより実線Ｃで示すところの空気熱交換形空調機１による冷却運転が行われる。この実線Ｃで示す室内温度ＴINの変化は、破線Ｂの場合（ＴIN−ＴOUT≧ΔＴｏになるのを待って第１送風ファン３および第２送風ファン４を駆動させることによる室内温度ＴINの変化）に比べると冷却効果が早い。
【００５４】
さらに、運転指示手段２４に対し、温度判断手段２２から「停止条件」（ＴIN−ＴOUT≧０、または、ＴIN≦Ｔ１ｂ（＝Ｔ１＝Ｔ１ａ））の情報が伝達されていた場合でも、室内温度ＴINの急速な上昇により、ほどなくしてΔＴｏ≧ＴIN−ＴOUT≧０の「運転準備温度条件」となり得る。これにより、温度判断手段２２が「運転準備温度条件」と判断し、上述の通り、運転指示手段２４が「主冷却装置冷却機能喪失状態」と直ちに判断し、第１インバーター１８および第２インバーター１９に最大運転の指示を行う。そして、第１送風ファン３および第２送風ファン４が最大回転数で回転し、ほどなくして室内温度ＴINの急速な温度上昇によりＴIN−ＴOUT≧ΔＴｏとなり、空気熱交換形空調機１の冷却機能を発揮し、直ぐに冷却動作となる。これにより実線Ｄで示すところの空気熱交換形空調機１による冷却運転が行われる。従って、この実線Ｄで示す室内温度ＴINの変化は、破線Ｂの場合（ＴIN−ＴOUT≧ΔＴｏになるのを待って第１送風ファン３および第２送風ファン４を駆動させることによる室内温度ＴINの変化）に比べると冷却効果が早い。
【００５５】
このようにして、ヒートポンプ式空調機１０３が故障した場合にも、空気熱交換形空調機１のみによる冷却によって、一点鎖線Ｙで示すような室内温度ＴINの急速な上昇となるところを防ぐ。そして、実線Ａ，Ｃ，Ｄで示す室内温度ＴINの緩やかな上昇となり通信機１０２の発熱量が少ない場合は、あわよくば室内温度ＴINは、下限温度Ｔ１から上限温度Ｔ２の間で保温するような動作も行い得る。
【００５６】
以上のように、補助冷却装置の電源を発熱体収納装置に備えた蓄電装置に接続された直流電源とし、電流検出器を主冷却装置の電源線に挿入し、補助冷却装置で主冷却装置の入力電流を監視し、且つ、補助冷却装置の温度判断条件に運転準備温度条件を設けたことにより、簡単な施工で、主冷却装置の電源が停電して主冷却装置が冷却機能を失った状態でも、直ちに状況を察知し、補助冷却装置を早めに冷却準備させることができる。そして、空気熱交換形空調機１に備えた熱交換器５により発熱体収納装置１０１の内外空気を遮蔽することで防塵、防湿性能の優れた効果を発揮する。さらに、主冷却装置の電源の停電時に発熱体収納装置１０１の冷却性能を維持するために空気熱交換形空調機１の判断により、補助冷却装置としての空気熱交換形空調機１が発熱体収納装置１０１内の冗長的な冷却動作を行う。従って、低コストで低施工性な発熱体収納装置用冷却システムを提供することができる。
【００５７】
ここで、発熱体収納装置に備えた蓄電装置に接続された直流電源を補助冷却装置の電源とできるのは、主冷却装置としてのヒートポンプ式空調機１０３にはコンプレッサーなどを有し多大な駆動動力を必要とするのに対し、補助冷却装置としての空気熱交換形空調機１は送風手段のみの駆動動力を必要とするだけの機器だからであることは言うまでもない。
【産業上の利用可能性】
【００５８】
本発明にかかる発熱体収納装置用冷却システムは、発熱体が収納された発熱体収納装置の内部を冷却する主冷却装置と、補助冷却装置を備え、前記主冷却装置に供給される電源線に電流検出器を挿入し、この電流検出器を前記補助冷却装置に接続し、前記補助冷却装置には、  この補助冷却装置の運転／停止指示を行う運転指示手段と、発熱体収納装置内の室内温度を検出する室内温度検知手段と、発熱体収納装置外の外気温度を検出する外気温度検知手段と、前記電流検出器からの信号を前記主冷却装置の入力電流として検知監視し、この入力電流が予め設定した前記主冷却装置の運転する入力電流より低い電流閾値を下回った場合に、前記運転指示手段に対し、主冷却装置電流低下状態を送信する電流監視手段と、前記室内温度検知手段と前記外気温度検知手段による温度情報を入力し、前記運転指示手段に対し、前記補助冷却装置の運転温度条件、停止温度条件あるいは運転準備温度条件を送付する温度判断手段とを備え、前記温度判断手段は、外気温度が室内温度より予め設定した閾値温度差分低い場合で、且つ、室内温度が予め設定した補助冷却装置運転閾値温度以上である場合に、前記運転温度条件と判断し、外気温度が室内温度より予め設定した閾値温度差分高い場合、あるいは、室内温度が予め設定した補助冷却装置運転閾値温度より低い場合に、に前記停止温度条件と判断し、前記運転温度条件ではないが外気温度が室内温度より高くなった場合で、且つ、室内温度が予め設定した補助冷却装置の運転閾値温度以上である場合に、運転準備温度条件と判断し、前記運転指示手段では、前記温度判断手段からの前記運転温度条件、前記停止温度条件あるいは前記運転準備温度条件、および前記電流監視手段からの前記主冷却装置電流低下状態情報に基づき、前記補助冷却装置を動作させるという構成を有する。これにより、主冷却装置の入力電流を補助冷却装置で検知監視し、発熱体収納箱内外の温度を認識することとなるので、主冷却装置の冷却機能喪失時にも補助冷却装置自身の判断で発熱体収納装置内の冷却を直ちに行うことができる。
【００５９】
従って、例えば、通信機器の基地局や、その他屋外設置機器における冷却設備としてきわめて有用なものとなる。
【符号の説明】
【００６０】
１      空気熱交換形空調機
２      本体ケース
３      第１送風ファン
４      第２送風ファン
５      熱交換器
６      第１吸気口
７      第１吐出口
８      第２吸気口
９      第２吐出口
１０    補助冷却制御装置
１１    補助冷却室温センサー
１２    補助冷却外気温センサー
１３    交流電源
１４    電源線
１５    分割コア式カレントトランス
１６    電流信号線
１７    コントロール基板
１８    第１インバーター
１９    第２インバーター
２０    室内温度検知手段
２１    外気温度検知手段
２２    温度判断手段
２３    電流監視手段
２４    運転指示手段
２５    信号線
２６    空調機制御装置
２７    主冷却信号線
２８    補助冷却信号線
２９    発熱体収納装置室温センサー
３０    発熱体収納装置外気温センサー
３１    直流電源
１０１  発熱体収納装置
１０２  通信機
１０３  ヒートポンプ式空調機
１０３ａ  室内機
１０３ｂ  室外機
１０４  冷媒配管
１０５  主冷却室温センサー
１０６  主冷却制御装置
１０７  空気熱交換形空調機
１０８  本体ケース
１０９  第１送風ファン
１１０  第２送風ファン
１１１  熱交換器
１１２  補助冷却制御装置
１１３  補助冷却室温センサー
１１４  補助冷却外気温センサー
１１５  第１吸気口
１１６  第１吐出口
１１７  第２吸気口
１１８  第２吐出口
【図１】
2016066735.tif 000003
【図２】
2016066735.tif 000004
【図３】
2016066735.tif 000005
【図４】
2016066735.tif 000006
【図５】
2016066735.tif 000007
【図６】
2016066735.tif 000008
【図７】
2016066735.tif 000009
【図８】
2016066735.tif 000010
【図９】
2016066735.tif 000011
【図１０】
2016066735.tif 000012